(57)【特許請求の範囲】
【請求項１】
決済機能を有する携帯型決済端末であって、
被記録媒体に印刷を行う印刷手段と、
端末操作者が操作を行う操作手段と、
表示を行う表示手段と、
非接触型ＩＣ媒体からの情報の読み取り、及び非接触型ＩＣ媒体への情報の書き込みを行う非接触型ＩＣ媒体読書手段と、
磁気媒体から磁気情報を読み取る磁気情報読取手段と、
符号を読み取る符号読取手段と、
接触型ＩＣ媒体から情報を読み取る接触型ＩＣ媒体読取手段と、
決済端末本体に対して電力を供給する電池が装着される電池装着部と、
を決済端末本体に集約して一体的に設け、
前記印刷手段を前記決済端末本体の上端部に設け、
前記磁気情報読取手段の横引き用の磁気読取用スリット溝を前記決済端末本体の下端部に設け、
前記表示手段を前記印刷手段と前記磁気情報読取手段との間に設け、
前記操作手段を前記表示手段と前記磁気情報読取手段との間に設け、
前記非接触型ＩＣ媒体読書手段は、前記決済端末本体の決済処理を行う一方面側において前記表示手段と前記磁気読取手段との間で前記一方面の面方向に前記操作手段と物理的に重ならないように設けられたことを特徴とする携帯型決済端末。
【請求項２】
前記接触型ＩＣ媒体に対応する認証情報の入力操作を行う認証情報入力手段と、を備え、
前記接触型ＩＣ媒体読取手段と、前記認証情報入力手段とが、１つのモジュール化された接触型ＩＣ認証ユニットからなることを特徴とする請求項１に記載の携帯型決済端末。
【請求項３】
前記決済端末本体の長手方向一端部側の端面は略フラット面となっており、前記略フラット面を接地する側の面とした場合に、前記決済端末本体が起立することを特徴とする請求項１または２に記載の携帯型決済端末。
【請求項４】
前記電池装着部は、前記決済端末本体の前記略フラット面側である長手方向一端部側に配置されていることを特徴とする請求項３に記載の携帯型決済端末。
【請求項５】
前記符号読取手段は、媒体に付された一次元コード又は二次元コードの少なくとも何れか一方を読み取るものであることを特徴とする請求項１乃至４のいずれか１項に記載の携帯型決済端末。
【発明の詳細な説明】
【技術分野】
【０００１】
本発明は、携帯型決済端末に関する。
【背景技術】
【０００２】
従来から、レジシステムと呼ばれている決済システムでは、ＰＯＳシステム（販売時点管理）が広く使われている。
【０００３】
ＰＯＳシステムとは、一般に、購入される商品の各品目に、バーコードとして印刷または無線タグとして付けられた統一商品コードを読み取り、ネットワーク・サーバまたは他の店舗プラットフォーム・ホストといった店舗コンピュータ・システムに結合され、店舗が在庫している商品品目のリストや各品目の価格、スタイル、色等を含む、様々な種類の商品識別情報が記憶される。
【０００４】
また、決済システムでは、現金決済以外にクレジットカード決済や、非接触型ＩＣカードを使用した電子決済が広く使用されている。クレジットカード決済では、利用限度額の超過や偽造クレジットカードなどの不正防止を照会するためにリアルタイムでクレジットカード会社のサーバに接続し、クレジットカード情報を照合する処理を行っている。
【０００５】
このようなＰＯＳシステムと電子決済機能を有する決済端末は、量販店のレジシステムとして広く普及しているが、近年は、据え置き型のレジシステムが設置されていない場所でも決済を行うことが要求されていた。
【０００６】
この要求に応えるために作られた決済端末として、クレジットカード決済や電子決済が可能な携帯型決済端末に、Ｗ−ＬＡＮや携帯電話回線などの無線通信機能を付加して、ＰＯＳシステムやクレジットカードのネットワークに接続させる形式のものがある。
【０００７】
従来の携帯型決済端末として、例えば、特許文献１に記載されるようなハンディターミナルに、磁気カード等の決済機能を搭載したものがある。
【０００８】
図８は、従来のハンディターミナルの外観を示す斜視図である。
【０００９】
図８に示すように、従来のハンディターミナル８００は、表示部８０１、操作部８０２、プリンタ８０３を有する。
【先行技術文献】
【特許文献】
【００１０】
【特許文献１】特開２００５−１７４５５８公報
【発明の概要】
【発明が解決しようとする課題】
【００１１】
しかし、図８に示したような従来のハンディターミナルには、販売スタッフ等の主操作者が操作する主操作部、商品のバーコード等を読み取るためのレーザスキャナ、レシート等の帳票を印刷するためのプリンタ、磁気ストライプカードで決済を行うための機能、接触型ＩＣカードで決済を行うための機能、非接触型ＩＣカードで決済を行うための機能の全てをオールインワンで搭載したようなものがなかった。従来では、これらの全ての機能をオールインワンで搭載すると、装置自体が従来に比較して大型化してしまい、困難であった。
【００１２】
このため、従来では、上記のような機能を全て利用するためには、販売スタッフは、複数種類の端末を携帯する必要があり、非常に煩雑であった。
【００１３】
本発明は、上記の問題点を解決するためになされたものである。本発明は、主操作部と、レーザスキャナと、プリンタと、磁気ストライプカード、接触型ＩＣカード、非接触型ＩＣカードのいずれでも決済可能な機能の全てを、装置本体を大型化することなく、オールインワンで搭載したハンディターミナルを提供することを目的とする。
【課題を解決するための手段】
【００１４】
本発明は、決済機能を有する携帯型決済端末であって、被記録媒体に印刷を行う印刷手段と、端末操作者が操作を行う操作手段と、表示を行う表示手段と、非接触型ＩＣ媒体からの情報の読み取り、及び非接触型ＩＣ媒体への情報の書き込みを行う非接触型ＩＣ媒体読書手段と、磁気媒体から磁気情報を読み取る磁気情報読取手段と、符号を読み取る符号読取手段と、接触型ＩＣ媒体から情報を読み取る接触型ＩＣ媒体読取手段と、決済端末本体に対して電力を供給する電池が装着される電池装着部と、を決済端末本体に集約して一体的に設け、前記印刷手段を前記決済端末本体の上端部に設け、前記磁気情報読取手段の横引き用の磁気読取用スリット溝を前記決済端末本体の下端部に設け、前記表示手段を前記印刷手段と前記磁気情報読取手段との間に設け、前記操作手段を前記表示手段と前記磁気情報読取手段との間に設け、前記非接触型ＩＣ媒体読書手段は、前記決済端末本体の決済処理を行う一方面側において前記表示手段と前記磁気読取手段との間で前記一方面の面方向に前記操作手段と物理的に重ならないように設けられたことを特徴とする。
【発明の効果】
【００１５】
本発明によれば、非接触型ＩＣ媒体、磁気媒体、接触型ＩＣ媒体の何れでも決済可能な機能の全てを、装置本体を大型化することなく、オールインワンで搭載した携帯型決済端末を提供することができる。
【図面の簡単な説明】
【００１６】
【図１】本発明の携帯型決済端末の一実施例を示すハンディターミナルの外観を示す図である。
【図２】本発明の携帯型決済端末の一実施例を示すハンディターミナルの外観を示す図である。
【図３】本発明の携帯型決済端末の一実施例を示すハンディターミナルの外観を示す図である。
【図４】本発明の携帯型決済端末の一実施例を示すハンディターミナルの構成の一例を示すブロック図である。
【図５】本発明の携帯型決済端末の一実施例を示すハンディターミナルの断面図である。
【図６】ハンディターミナル１における接触型ＩＣクレジットカードを用いた電子決済手順の一例を示す模式図である。
【図７】ハンディターミナル１における電子決済処理の一例を示すフローチャートである。
【図８】従来のハンディターミナルの外観を示す斜視図である。
【発明を実施するための形態】
【００１７】
以下、発明を実施するための形態について図面を参照しながら詳述する。なお、図中、同一の構成には同一の符号を付して重複する説明は省略する。
かかる本発明の実施例では、携帯型決済端末の一例として接触型ＩＣカードによる電子決済機能を搭載したハンディターミナルについて例示する。
図１〜図３は、本発明の携帯型決済端末の一実施例を示すハンディターミナルの外観を示す図である。
図１（ａ）はハンディターミナルの上面（正面又は表面ともいう）図である。
図１（ｂ）はハンディターミナルの左側面図である。
図２はハンディターミナルの下面（背面又は裏面ともいう）図である。
図３（ａ）はハンディターミナルの上面（正面）斜視図である。
図３（ｂ）はハンディターミナルの下面（背面）斜視図である。
【００１８】
図１〜図３において、１は、携帯型決済端末の一例である本実施例のハンディターミナルであり、電子決済機能を有する。本実施例において、電子決済とは、商品またはサービスの代価を支払う場合、現金ではなく、電子データをやり取りすることで支払いを行うことを示す。例えば、クレジットカードやデビットカード（銀行などの預金口座から即時或いは後ほど引き落として支払う）のカード番号（識別番号）やそれに付随する各種情報を外部装置とやり取することで行われる決済が本実施例の電子決済に含まれる。また、非接触型ＩＣカード（例えば、ソニー社のＦｅｌｉＣａ（登録商標））に記録された電子マネー情報を支払い額に応じて書き換え、該支払い額に応じた電子マネー情報を端末内のメモリに記録することで行われる決済も本実施例の電子決済に含まれる。
【００１９】
操作部２及びタッチパネル式表示部３は、ハンディターミナルの主操作者である販売スタッフ等（以下、販売スタッフ）が操作を行うためのものである。操作部２は、複数の操作ボタンを有する。
【００２０】
非接触型ＩＣカードリーダ／ライタ４は、非接触型ＩＣ媒体の１つである非接触型ＩＣカード内に記録される電子マネー情報の読み取り、書き込みを行う非接触型ＩＣカード読書部（非接触型ＩＣ媒体読書部）である。磁気ストライプリーダ（以下、ＭＳＲ(magnetic stripe reader)）５は、磁気媒体の１つである磁気ストライプカード（以下、磁気カード）の磁気ストライプ部から情報を読み取る磁気ストライプ読取部（磁気情報読取部）である。プリンタ(Printer)６は、内部に被記録媒体としてのロール紙を収納し、レシート等の帳票の印刷を行う印刷部である。
【００２１】
接触型ＩＣカード用モジュール７は、決済に用いるカードの所有者である顧客（以下、顧客）が操作（例えば、暗証番号(Personal identification number)等の認証情報（以下、暗証番号）の入力操作）を行うためのものである。接触型ＩＣカード用モジュール７は、ＰＩＮ入力部７ａ、表示部７ｂ、接触型ＩＣカード挿入口７ｃ、接触型ＩＣカードリーダ７ｄ（図４）、コントローラ７ｅ（図４）を備えている。接触型ＩＣカード用モジュール７は、ＰＩＮ入力部７ａ、表示部７ｂ、接触型ＩＣカード挿入口７ｃ、接触型ＩＣカードリーダ７ｄ、コントローラ７ｅが１つのモジュール化された接触型ＩＣ認証ユニットである。
【００２２】
ＰＩＮ入力部７ａは、顧客が暗証番号の入力を行う認証情報入力部である。表示部７ｂは、顧客へのメッセージや、ＰＩＮ入力部７ａでの入力に対応する伏せ文字等を表示する。
【００２３】
接触型ＩＣカード挿入口７ｃは、接触型ＩＣ媒体の１つである接触型ＩＣカードを挿入するための挿入口である。接触型ＩＣカードリーダ７ｄ（図４）は、接触型ＩＣカード用モジュール７の内部に設けられ、接触型ＩＣカード挿入口７ｃに挿入される接触型ＩＣカードのＩＣ部から情報を読み取る接触型ＩＣカード読取部（接触型ＩＣ媒体読取部）である。なお、接触型ＩＣカード挿入口７ｃの挿入口近傍にＬＥＤ等の照明部を設けて、暗い使用環境であっても、接触型ＩＣカード挿入口７ｃが判別できるようにしてもよい。
【００２４】
コントローラ７ｅ（図４）は、接触型ＩＣカード用モジュール７の内部に設けられ、接触型ＩＣカード用モジュール７全体を統括制御するとともに、ハンディターミナル１本体と通信を行う。また、コントローラ７ｅは、ＰＩＮ入力部７ａで入力された暗証番号と、接触型ＩＣカードリーダ７ｄで読み取られたデータとを比較し、比較結果をハンディターミナル１本体に通知する。
【００２５】
なお、接触型ＩＣカード用モジュール７は、そのＰＩＮ入力部７ａがハンディターミナル１の下面（背面）から操作可能となるように設けられている。なお、販売スタッフが操作する操作部２及びタッチパネル式表示部３はハンディターミナル１の上面から操作可能となるように設けられている。即ち、操作部２及びタッチパネル式表示部３を操作する場合の操作面と、接触型ＩＣカード用モジュール７を操作する場合の操作面とが、異なる面となるように、操作部２及びタッチパネル式表示部３と、接触型ＩＣカード用モジュール７が配置されている。
【００２６】
レーザスキャナ(Laser Scanner)８は、販売スタッフによる操作部２又はタッチパネル式表示部３の操作に応じて、レーザ光を照射してバーコード等の読み取りを行うバーコード読取部である。なお、本実施例では、符号を読み取るための符号読取手段の一例として、バーコードを読み取るバーコード読取部を示して説明しているが、勿論、これに限定されるものではない。例えば、一次元コード以外にもマトリックス型二次元コード等、他の符号を読み取る場合にも本発明を適用することができ、その場合には、読取対象である各種符号に対応する読取手段、具体的には、撮像画像を解析して符号を読み取るスキャナや、符号をレーザ等で走査して読み取るスキャナ等を適宜対応させて搭載すればよい。いずれにしても、符号読取手段は、紙や収納箱等の各種媒体に付された符号を読み取れるものであればよく、具体的には、一次元コード又は二次元コードの少なくとも何れか一方を読み取るものであればよい。
【００２７】
メインバッテリ１８（図４）は、ハンディターミナル１への電力供給を行う電池であり、ハンディターミナル１本体のバッテリ装着部（電池装着部）９に装着される。このバッテリ装着部９は、本実施例では、ハンディターミナル１本体の長手方向一端部（磁気ストライプ読取部５側の端部）側であって且つ操作部２等が設けられた上面（表面）側とは反対の下面（裏面）側に設けられている。
【００２８】
クレイドルインタフェース（Ｉ／Ｆ）部１０は、図示しないクレイドル(cradle)との接続を行う。なお、クレイドルとは、ハンディターミナル１に付属するスタンド型の拡張機器である。ハンディターミナル１本体をクレイドルに載せるだけで、クレイドルインタフェース部１０を介して、ハンディターミナル１本体とクレイドルとを接続することができ、メインバッテリ１８の充電、メモリ１２とのデータ送受信、ハンディターミナル１本体と周辺機器との接続等に使用される。
【００２９】
また、上述した構成の本実施例に係るハンディターミナル１は、ハンディターミナル１本体の長手方向一端部側の端面を略フラット面とし、その略フラット面を接地する側の面とした場合に、ハンディターミナル１本体が起立するようにした。ここで略フラット面とは、ハンディターミナル１本体が起立した状態を維持できる程度の面であればよい。これにより、ハンディターミナル１の収納スペースが十分に確保できないような端末使用環境であっても、ハンディターミナル１を縦置きして、適宜収納することができる。なお、本実施例のハンディターミナル１は、バッテリ装着部９をハンディターミナル１本体の略フラット面側である長手方向一端部側に配置しているので、電池の重さによってハンディターミナル１の起立姿勢の安定性（設置安定性）を向上できるという効果もある。
【００３０】
図４は、本発明の携帯型決済端末の一実施例を示すハンディターミナルの構成の一例を示すブロック図である。
【００３１】
ＣＰＵ１１は、メモリ１２からコンピュータ読み取り可能に記録されたプログラムを読み出して実行することにより、ハンディターミナル１を統括制御し、ハンディターミナル１の各種機能を実現する。メモリ１２は、ＲＡＭ部とフラッシュメモリ部とから構成されている。
【００３２】
タッチパネルコントローラ(Touch Panel Controller)１３は、タッチパネル式表示部３からの入力を制御する。また、ＣＰＵ１１は、ＬＣＤドライ１９バを介して、タッチパネル式表示部３への各種表示を制御する。ワイヤレスＬＡＮインタフェース(Wireless LAN I/F)１４は、ワイヤレスＬＡＮへの接続を制御する。Ｓｌａｖｅ ＣＰＵ１５は、ＣＰＵ１１からの指示によりプリンタ６を制御する。
【００３３】
制御用ＩＣ１６は、ＭＳＲ５、レーザスキャナ８、非接触型ＩＣカードリーダ／ライタ４、接触型ＩＣカード用モジュール７を制御する。制御用ＩＣ１７は、操作部２、メインバッテリ(Main Battery)１８、クレイドルインタフェース（Ｉ／Ｆ）部１０を制御する。
【００３４】
なお、ＣＰＵ１１は、接触型ＩＣカード用モジュール７の使用中、操作部２やタッチパネル３等での操作を禁止（ロック）するよう各部を制御してもよい。また、ＣＰＵ１１は、操作部２又はタッチパネル式表示部３からの操作により、または、明るさセンサ等によって自動検知により、ハンディターミナル１の使用環境が薄暗い場合において、いわゆるナイトモードとして、タッチパネル式表示部３のバックライトの光量を小さく又は逆に大きくしたり、プリンタ６の印刷速度等を低減してシート繰り出し音を低減したり、端末操作に伴う端末音（認証音やキー入力音等）を小さい音量設定又は消音状態となるように制御してもよい。これにより、夜間の機内販売等において、顧客への接客サービス向上を図ることができる。
【００３５】
図５は、本発明の携帯型決済端末の一実施例を示すハンディターミナルの断面図である。
【００３６】
図５において、２０はメイン基板２０である。メイン基板２０には、図４に示したＣＰＵ１１、メモリ１２、タッチパネルコントローラ１３は、ワイヤレスＬＡＮインタフェース１４、Ｓｌａｖｅ ＣＰＵ１５、制御用ＩＣ１６、制御用ＩＣ１７等が設けられている。
【００３７】
図１〜図３、及び図５に示すように、ハンディターミナル１は、ハンディターミナル１本体の上面（正面）側に、先端から順に、プリンタ６、タッチパネル式表示部３、操作部２、非接触型ＩＣカードリーダ／ライタ４、ＭＳＲ５を配置している。また、ハンディターミナル１本体の下面（背面）側に、先端から順に、レーザスキャナ８、接触型ＩＣカード用モジュール７（ＰＩＮ入力部７ａ）、メインバッテリ１８を装着可能なバッテリ装着部９、クレイドルＩ／Ｆ部１０を配置している。
【００３８】
プリンタ６の背部（即ちハンディターミナル１の上面及び下面と垂直な方向から見て重なる位置）にレーザスキャナ８、タッチパネル式表示部３及び操作部２の背部に接触型ＩＣカード用モジュール７、非接触型ＩＣカードリーダ／ライタ４の背部にメインバッテリ１８を装着可能なバッテリ装着部９、ＭＳＲ５の背部にクレイドルインタフェース部１０をそれぞれ配置している。そして、接触型ＩＣカード用モジュール７と、非接触型ＩＣカードリーダ／ライタ４とを、ハンディターミナル１の上面及び下面と垂直な方向から見て重ならない位置に配置している。さらに、ハンディターミナル１本体の下面（背面）は凹部を有するものであり、前記凹部に、ＰＩＮ入力部７ａを設けている。
【００３９】
以下、図６、図７を参照して、ハンディターミナル１による電子決済手順について説明する。
図６は、ハンディターミナル１における接触型ＩＣクレジットカードを用いた電子決済手順の一例を示す模式図である。
図７は、ハンディターミナル１における電子決済処理の一例を示すフローチャートである。なお、このフローチャートの処理は、ＣＰＵ１１がメモリ１２からコンピュータ読み取り可能に記録されたプログラムを読み出して実行することにより実現される。
【００４０】
まず、販売スタッフが操作部２又はタッチパネル式表示部３を操作して決済の開始を指示すると、ＣＰＵ１１はこの操作を検知し、６０１に示すような画面をタッチパネル式表示部３に表示する。さらに、ＣＰＵ１１は、レーザスキャナ８による読み取り処理（スキャン）を開始する（Ｓ７０１）。これにより、レーザスキャナ８からレーザ光が照射されてバーコード等の読み取りが可能になる。
【００４１】
６０２に示すように、レーザ光がバーコードに照射されると、レーザスキャナ８によりバーコードが読み取られ（Ｓ７０１）、読み取られたデータがＣＰＵ１１に通知される。ＣＰＵ１１は、バーコードから読み取られたデータに基づいて、６０３に示すような画面をタッチパネル式表示部３に表示する。
【００４２】
さらに、販売スタッフが操作部２を特定のキー（例えば、「Ｅｎｔｅｒ」キー）を操作すると、ＣＰＵ１１はこの操作を検知し、６０４に示すような画面をタッチパネル式表示部３に表示し、支払い方法の入力を受け付ける（Ｓ７０２）。
【００４３】
そして、販売スタッフが操作部２又はタッチパネル式表示部３を操作して支払い方法を入力すると、ＣＰＵ１１はこの操作を検知し、支払い方法を判定する（Ｓ７０３）。なお、画面６０４でクレジットカードが選択された場合、ＣＰＵ１１は、磁気クレジットカード、ＩＣクレジットカードのいずれかを選択するための画面（不図示）をタッチパネル式表示部３に表示させ、操作部２又はタッチパネル式表示部３からいずれかの選択を受け付ける。
【００４４】
ＣＰＵ１１は、支払い方法として「現金」が選択されたと判定すると、販売に関する情報をメモリ１２に格納するとともに、レシートを発行するように、Ｓｌａｖｅ ＣＰＵ１５に指示する。この指示により、Ｓｌａｖｅ ＣＰＵ１５は、プリンタ６を動作させてレシートを印刷する（Ｓ７０８）。
【００４５】
また、ＣＰＵ１１は、支払い方法として「ＩＣクレジットカード」が選択されたと判定すると、６０５に示すような画面をタッチパネル式表示部３に表示させるとともに、接触型ＩＣカード用モジュール７のコントローラ７ｅに、接触型ＩＣカード挿入口７ｃへ挿入される接触型ＩＣカードの読み取り処理を指示する。
【００４６】
そして、接触型ＩＣカード挿入口７ｃへ接触型ＩＣカードが挿入されると、接触型ＩＣカード用モジュール７のコントローラ７ｅは、接触型ＩＣカードリーダ７ｄを用いて接触型ＩＣカードのＩＣ部から情報を読み取り、読み取ったデータをＣＰＵ１１に通知する。この通知を受けたＣＰＵ１１は、操作部２から支払い回数等の入力を受け付けた後、６０６に示すような画面をタッチパネル式表示部３に表示させる。
【００４７】
さらに、ＣＰＵ１１は、暗証番号（ＰＩＮコード）の入力処理の実行を、接触型ＩＣカード用モジュール７のコントローラ７ｅに指示する（Ｓ７０５）。この指示に応じて、接触型ＩＣカード用モジュール７のコントローラ７ｅは、顧客に暗証番号の入力を促すメッセージを表示部７ｂに表示するとともに、ＰＩＮ入力部７ａから暗証番号の入力を受け付ける。
【００４８】
ここで、販売スタッフは、ハンディターミナル１の下面（即ち、ＰＩＮ入力部７ａの操作面）を顧客に向けて、顧客に暗証番号の入力を促す。なお、顧客が暗証番号を入力するＰＩＮ入力部７ａは顧客用の操作部であり、販売スタッフ用の操作部である操作部２と分離されているため、顧客が暗証番号を入力する際に誤ったボタン（本来は顧客が操作すべきでないボタン）を操作してしまう等のリスクが低減される。
【００４９】
そして、顧客によりＰＩＮ入力部７ａから暗証番号が入力されると、コントローラ７ｅは、ＰＩＮ入力部７ａで入力された暗証番号と、接触型ＩＣカードリーダ７ｄで読み取られたデータとを比較し、比較結果をハンディターミナル１本体に通知する。
【００５０】
ＰＩＮ入力部７ａで入力された暗証番号と接触型ＩＣカードリーダ７ｄで読み取られたデータとが一致していた場合、ＣＰＵ１１は、Ｓ７０６に処理を進める。なお、図示しないが、ＰＩＮ入力部７ａで入力された暗証番号と接触型ＩＣカードリーダ７ｄで読み取られたデータとが一致していなかった場合、ＣＰＵ１１は、Ｓ７０５に処理を戻す。なお、暗証番号の不一致が所定回数に達すると本フローチャートの処理を終了する。
【００５１】
Ｓ７０６では、ＣＰＵ１１は、ワイヤレスＬＡＮインタフェース１４を介して、上記Ｓ７０１で読み取った商品の金額、上記Ｓ７０４で読み取ったＩＣクレジットカード内のデータ、及び支払い回数等の情報を、外部装置（対応するカード会社のコンピュータ）に送信して、決済が可能であるかどうかの照会を行う。なお、利用限度額を超えている場合やカードの不正使用等が発見された場合には決済不可能（非承認）となる。また、ここで、外部装置に照会を行う構成でなくとも、メモリ１２に記録されたブラックリスト等との照会を行う構成でもよい。
【００５２】
次に、Ｓ７０７において、ＣＰＵ１１は、ワイヤレスＬＡＮインタフェース１４を介して、上記外部装置から承認の返信を受信すると、６０７に示すような画面をタッチパネル式表示部３に表示させ、販売に関する情報をメモリ１２に格納する。そして、Ｓ７０８において、ＣＰＵ１１は、レシートを発行するように、Ｓｌａｖｅ ＣＰＵ１５に指示する。この指示により、Ｓｌａｖｅ ＣＰＵ１５は、プリンタ６を動作させてレシートを印刷する。なお、図示しないが、上記外部装置から非承認の返信を受信した場合、ＣＰＵ１１は、そのクレジットカードによる支払いができない旨の情報を、タッチパネル式表示部３に表示させ、本フローチャートの処理を終了する。
【００５３】
また、ＣＰＵ１１は、支払い方法として「磁気クレジットカード」が選択されたと判定すると、磁気クレジットカードの読み取りを促す画面をタッチパネル式表示部３に表示させるとともに、ＭＳＲ５を用いて、磁気クレジットカードの磁気ストライプの読み取り処理を開始する（Ｓ７０９）。そして、ＭＳＲ５の読み取り部に磁気クレジットカードが挿入されると、ＭＳＲ５により磁気クレジットカードの磁気ストライプを読み取る。そしてＣＰＵ１１は、支払い回数等の入力を受け付けた後、Ｓ７１０に処理を進める。
なお、ステップＳ７０９では、ハンディターミナル１本体の下端部（具体的には販売スタッフ側の一端部）に設けられたＭＳＲ５（磁気読取用スリット溝）に沿って、磁気カードを横引きすることにより磁気情報を読み取ることができる。この際、販売スタッフは、例えば、左手でハンディターミナル１本体を支え、その状態で顧客から磁気カードを右手で受け取り、磁気読取用スリット溝に磁気カードを横引きすることができ、磁気カード操作を含む自然な操作導線を確保することができ、端末の操作性を向上することができる。
【００５４】
Ｓ７１０では、ＣＰＵ１１は、ワイヤレスＬＡＮインタフェース１４を介して、上記Ｓ７０１で読み取った商品の金額、上記Ｓ７０９で読み取った磁気クレジットカード内のデータ、及び支払い回数等の情報を、外部装置（対応するカード会社のコンピュータ）に送信して、決済が可能であるかどうかの照会を行う。
【００５５】
次に、Ｓ７１１において、ＣＰＵ１１は、ワイヤレスＬＡＮインタフェース１４を介して、上記外部装置から承認の返信を受信すると、６０７に示すような画面をタッチパネル式表示部３に表示させ、販売に関する情報をメモリ１２に格納する。そして、Ｓ７０８において、ＣＰＵ１１は、レシートを発行するように、Ｓｌａｖｅ ＣＰＵ１５に指示する。この指示により、Ｓｌａｖｅ ＣＰＵ１５は、プリンタ６を動作させてレシートを印刷する。なお、図示しないが、上記外部装置から非承認の返信を受信した場合、ＣＰＵ１１は、そのクレジットカードによる支払いができない旨の情報を、タッチパネル式表示部３に表示させ、本フローチャートの処理を終了する。
【００５６】
また、ＣＰＵ１１は、支払い方法として電子マネー（非接触型ＩＣカード）が選択されたと判定すると、「カードをタッチして下さい」等のメッセージや、非接触型ＩＣカードを非接触型ＩＣカードリーダ／ライタ４に翳す画像等をタッチパネル式表示部３に表示させるとともに、非接触型ＩＣカードリーダ／ライタ４を介して、かざされた非接触型ＩＣカードから電子マネー情報（残高）を読み出す。
【００５７】
そして、残高が上記Ｓ７０１で読み取った商品の金額以上ある場合、ＣＰＵ１１は、残高から上記商品の金額を差し引いた値に対応する電子マネー情報を、非接触型ＩＣカードリーダ／ライタ４を介して、かざされた非接触型ＩＣカードに書き込む。そして、Ｓ７０８において、ＣＰＵ１１は、レシートを発行するように、Ｓｌａｖｅ ＣＰＵ１５に指示する。この指示により、Ｓｌａｖｅ ＣＰＵ１５は、プリンタ６を動作させてレシートを印刷する。
【００５８】
なお、残高が上記商品の金額未満の場合、ＣＰＵ１１は、そのＩＣカード内の残高が不足している旨の情報を、タッチパネル式表示部３に表示させ、本フローチャートの処理を終了する。
【００５９】
また、支払い方法としてデビットカードが選択された場合、図７には示していないが、ＣＰＵ１１は、以下のような処理を行う。例えば、ＣＰＵ１１は、接触型ＩＣカード用モジュール７又はＭＳＲ５にデビットカードの情報を読み取らせ、接触型ＩＣカード用モジュール７のＰＩＮ入力部７ａで入力された暗証番号、上記Ｓ７０１で読み取った商品の金額、上記デビットカードから読み取ったデータ等の情報を、外部装置（対応する銀行等のコンピュータ）に送信して、決済が可能であるかどうかの照会を行う。なお、外部装置に照会を行う構成でなくとも、メモリ１２に記録されたブラックリスト等との照会を行う構成でもよい。
【００６０】
そして、上記外部装置から承認の返信を受信すると、販売に関する情報をメモリ１２に格納し、ＣＰＵ１１は、レシートを発行するように、Ｓｌａｖｅ ＣＰＵ１５に指示する。この指示により、Ｓｌａｖｅ ＣＰＵ１５は、プリンタ６を動作させてレシートを印刷する。
【００６１】
なお、上記の説明では、承認後に、販売に関する情報をメモリ１２に格納するように説明したが、ＣＰＵ１１は、逐次、販売に関する情報を、ワイヤレスＬＡＮインタフェース１４を介して、他の装置に送信するようにしてもよい。
【００６２】
以上示したように、本実施例のハンディターミナル１は、プリンタ６と、タッチパネル式表示部３、操作部２、非接触型ＩＣカードリーダ／ライタ４と、ＭＳＲ５、レーザスキャナ８と接触型ＩＣカード用モジュール７と、メインバッテリ１８を装着可能なバッテリ装着部９とが、ハンディターミナル１本体に集約して一体的に設けられている。これにより、多機能のハンディターミナル１を実現でき、様々な決済ニーズに対応することができる。具体的には、本実施例のハンディターミナル１によれば、非接触型ＩＣカード、磁気ストライプカード、接触型ＩＣカードの何れでも決済可能であり、且つこれら決済機能の全てを、装置本体を大型化することなく、オールインワンで搭載しているため、様々な決済ニーズに対応することができる。また、販売スタッフ等の端末操作者側にとっては、例えば、決済サービスを行うサービスエリアが比較的狭い場合（狭い機内販売等の場合）であっても、優れた機動性を実現でき、しかも使い勝手が非常に良く、顧客への接客サービス向上を図ることができる。
【００６３】
特に、本実施例のハンディターミナル１の上面側には、先端から順に、プリンタ６、タッチパネル式表示部３、操作部２、非接触型ＩＣカードリーダ／ライタ４、ＭＳＲ５が設けられている。また、ハンディターミナル１の下面側には、先端から順に、レーザスキャナ８、接触型ＩＣカード用モジュール７、メインバッテリ１８を装着可能なバッテリ装着部９、クレイドルＩ／Ｆ部１０それぞれの配置が端末操作性を考慮して最適化され一体的に集約して設けられている。そして、端末操作性を考慮し、プリンタ６の背部（即ちハンディターミナル１の上面及び下面と垂直な方向から見て重なる位置）にレーザスキャナ８、タッチパネル式表示部３及び操作部２の背部に接触型ＩＣカード用モジュール７、非接触型ＩＣカードリーダ／ライタ４の背部にメインバッテリ１８を装着可能なバッテリ装着部９、ＭＳＲ５の背面にクレイドルインタフェース部１０をそれぞれ配置している。そして、接触型ＩＣカード用モジュール７と、非接触型ＩＣカードリーダ／ライタ４とを、ハンディターミナル１の上面及び下面と垂直な方向から見て重ならない位置に配置している。
【００６４】
このようなに構成したことにより、販売スタッフが操作する操作部２及びタッチパネル式表示部３、商品のバーコード等を読み取るためのレーザスキャナ、レシート等の帳票を印刷するためのプリンタ、磁気ストライプカードで決済を行うためのＭＳＲ５、接触型ＩＣカードで決済を行うための接触型ＩＣカード用モジュール７、非接触型ＩＣカードで決済を行うための非接触型ＩＣカードリーダ／ライタ４の全てを、装置自体の大きさを従来のハンディターミナルに比べて大型化することなく、オールインワンで搭載することができる。
【００６５】
よって、販売スタッフは、商品のバーコードから商品情報を読み取り、磁気クレジットカード、ＩＣクレジットカード、デビットカード、又は非接触型ＩＣカードを用いた決済処理を行い、レシート等の帳票を印刷するといった一連の処理を、ハンディターミナル１のみでスムーズに行うことができる。よって、販売スタッフは、複数種類の決済端末を携帯する必要がなく、本実施例のハンディターミナル１のみを携帯するだけでよく、優れた機動性を確保することができ、しかも顧客への接客サービスを効率よく行うことができる。
【００６６】
また、上述のように構成したことにより、図１（ｂ）及び図３（ｂ）に示したように、ハンディターミナル１の下面中央部（接触型ＩＣカード用モジュール７の設置箇所）を、ハンディターミナル１の下面先端部（レーザスキャナ８設置位置）及び下面後端部（メインバッテリ１８を装着可能なバッテリ装着部９設置位置）より凹ませる（凹部を形成する）ことができる。よって、この凹み（凹部）を有する形状によりハンディターミナル１がユーザの手に馴染み易くなり、ハンディターミナル１の取り扱いが非常に容易になる他、ハンディターミナル１の落下のリスク等を有効に抑えることもできる。
【００６７】
さらに、販売スタッフの操作する操作部（操作部２及びタッチパネル式表示部３）と顧客が操作する接触型ＩＣカード用モジュール７が表裏に分離され、従来のように販売スタッフと顧客が操作部を共有していないことにより、販売スタッフの操作すべきボタンを顧客が押してしまう等、顧客が誤った操作を行ってしまう等のリスクも有効に抑えることができる。
【００６８】
なお、本実施例では、顧客操作用のＰＩＮ入力部７ａ、顧客用の表示部７ｂ、接触型ＩＣカード挿入口７ｃ、接触型ＩＣカードリーダ７ｄ、コントローラ７ｅを全て備える接触型ＩＣカード用モジュール７を用いる構成について説明した。しかし、顧客操作用のＰＩＮ入力部７ａ、顧客用の表示部７ｂ、接触型ＩＣカード挿入口７ｃ、接触型ＩＣカードリーダ７ｄ、コントローラ７ｅが１つのモジュールに備えられていなくてもよい。即ち、顧客操作用のＰＩＮ入力部７ａ、顧客用の表示部７ｂ、接触型ＩＣカード挿入口７ｃ、接触型ＩＣカードリーダ７ｄ、コントローラ７ｅが、別々にハンディターミナル１内に設けられていてもよい。
【００６９】
（他の実施例１）
本発明の携帯決済端末の構成は、上記実施例に示した、プリンタ６、タッチパネル式表示部３、操作部２、非接触型ＩＣカードリーダ／ライタ４、ＭＳＲ５、レーザスキャナ８、接触型ＩＣカード用モジュール７、メインバッテリ１８を装着可能なバッテリ装着部９、クレイドルＩ／Ｆ部１０等各部の配置に限定されるものではない。適宜、上記各部の配置を変更した構成も本発明に含まれるものである。
【００７０】
なお、上述した各種データの構成及びその内容はこれに限定されるものではなく、用途や目的に応じて、様々な構成や内容で構成されることは言うまでもない。
【００７１】
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
【００７２】
また、上記各実施例を組み合わせた構成も全て本発明に含まれるものである。
【００７３】
（他の実施例２）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００７４】
また、本発明は、複数の機器から構成されるシステムに適用しても、１つの機器からなる装置に適用してもよい。
【００７５】
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００７６】
１    ハンディターミナル
２    操作部
３    タッチパネル式表示部
４    磁気ストライプ読取部（ＭＳＲ）
５    レーザスキャナ
６    顧客操作モジュール
６ａ    テンキー部
６ｂ    表示部
６ｃ    接触型ＩＣカード挿入口
６ｄ    接触型ＩＣカードリーダ
６ｅ    コントローラ
７    ＣＰＵ
８    メモリ
１４    カバー
１５    保持機構
１６    ミラー
【図１】
0005738008.tif 000002
【図２】
0005738008.tif 000003
【図３】
0005738008.tif 000004
【図４】
0005738008.tif 000005
【図５】
0005738008.tif 000006
【図６】
0005738008.tif 000007
【図７】
0005738008.tif 000008
【図８】
0005738008.tif 000009